(57)【要約】  各々が光を放出するように構成された少なくとも２つの光源１１０と、第１面１２４及び第２面１２４を持つ担体１２０とを有する照明装置１００が開示されている。上記少なくとも２つの光源は上記担体の第１面に結合され、当該照明装置は上記光源及び担体を少なくとも部分的に包囲する外囲体を更に有する。上記光源の少なくとも１つは上記担体の第１部分１２６に結合され、該光源の少なくとも他の１つは該担体の第２部分１２８に結合される。該担体の上記第１及び第２部分は異なると共に、該担体は、上記第１部分の第２面が該担体の第２部分の第２面に少なくとも部分的に対面するように配置される。これにより、上記光源が例えば単一の担体の単一の面上に取り付けられながら、これら光源が幾つかの方向に光を放出するように向けられるようになり、当該照明装置により放出される光の角度範囲を増加させることができる。このことは、部品の数の低減及び組み立ての容易化を可能にする。該照明装置を有する照明器具、及び斯様な装置を製造する方法も開示されている。
2016518015.tif 000002
【特許請求の範囲】
【請求項１】
各々が光を放出する少なくとも２つの光源と、
第１面及び第２面を持つ担体であって、前記少なくとも２つの光源が前記第１面に結合される担体と、
前記光源及び前記担体を少なくとも部分的に包囲する外囲体と、
前記担体の前記第２面及び前記外囲体の少なくとも一部に熱的に接触して配置される熱伝導体と、
を有する照明装置であって、
前記光源のうちの少なくとも１つは前記担体の第１部分に結合される一方、前記光源のうちの少なくとも他の１つは該担体の第２部分に結合され、該担体の前記第１及び第２部分は相違し、
前記担体は、該担体の前記第１部分の前記第２面が該担体の前記第２部分の前記第２面と少なくとも部分的に対面するか又はその逆となるように、且つ、前記熱伝導体が前記担体の前記第１部分と該担体の前記第２部分との間に配置されるように折り畳まれる、
照明装置。
【請求項２】
前記外囲体は、一緒に結合された場合に該外囲体を形成する少なくとも２つの外囲部分を有し、前記熱伝導体の一部は、当該照明装置の環境と熱的に接触する前記外囲部分の間の接合部に配置されて、該熱伝導体の前記一部を介して当該照明装置から熱が放散されることを可能にする、請求項１に記載の照明装置。
【請求項３】
前記外囲体が、セラミック、ガラス、プラスチック及び／又は紙から選択される材料を有する、請求項１又は請求項２に記載の照明装置。
【請求項４】
少なくとも１つのドライバ回路が前記担体の前記第１及び第２部分の少なくとも一方に結合され、該少なくとも１つのドライバ回路は前記光源の少なくとも１つに電流を供給する、請求項１ないし３の何れか一項に記載の照明装置。
【請求項５】
前記担体は、該担体の前記第１部分の前記第２面及び該担体の前記第２部分の前記第２面が平行となるように配置される、請求項１ないし４の何れか一項に記載の照明装置。
【請求項６】
前記担体が印刷回路基板（ＰＣＢ）である、請求項１ないし５の何れか一項に記載の照明装置。
【請求項７】
前記担体の少なくとも一部が、当該照明装置の基部から延びる該照明装置の長軸に整列される、請求項１ないし６の何れか一項に記載の照明装置。
【請求項８】
請求項１ないし７の何れか一項に記載の照明装置を有する、照明器具。
【請求項９】
照明装置を製造する方法であって、
各々が光を放出する少なくとも２つの光源を準備するステップと、
第１面及び第２面を持つ担体を準備するステップと、
前記少なくとも２つの光源を前記担体の前記第１面に、前記光源のうちの少なくとも１つが前記担体の第１部分に結合される一方、前記光源のうちの少なくとも他の１つが該担体の第２部分に結合されるように結合するステップであって、前記担体の前記第１及び第２部分が相違するステップと、
前記光源及び前記担体を少なくとも部分的に包囲する外囲体を準備するステップと、
熱伝導体を、前記担体の前記第２面を前記外囲体の少なくとも一部と熱的に接続するように配置するステップと、
前記担体を、該担体の前記第１部分の前記第２面が該担体の前記第２部分の前記第２面と少なくとも部分的に対面する又はその逆となるように、且つ、前記熱伝導体が前記担体の前記第１部分と該担体の前記第２部分との間に配置されるように折り畳むステップと、
を有する、方法。
【請求項１０】
前記外囲体が少なくとも２つの外囲部分から形成され、当該方法が、前記熱伝導体の一部を、前記照明装置の環境と熱的に接触する前記外囲部分の間の接合部に配置して、該熱伝導体の前記一部を介して前記照明装置から熱が放散されることを可能にするステップを更に有する、請求項９に記載の方法。
【請求項１１】
前記外囲体が、セラミック、ガラス、プラスチック及び／又は紙から選択される材料を有する、請求項９又は請求項１０に記載の方法。
【請求項１２】
少なくとも１つのドライバ回路を前記担体の前記第１及び第２部分の少なくとも一方に結合するステップを更に有し、該少なくとも１つのドライバ回路が前記光源の少なくとも１つに電流を供給する、請求項９ないし１１の何れか一項に記載の方法。
【発明の詳細な説明】
【技術分野】
【０００１】
本発明は、広くは照明の分野に関する。更に詳細には、本発明は、光源、担体及び外囲体を有する照明装置、該照明装置を製造する方法、並びに斯様な照明装置を有する照明器具に関する。
【背景技術】
【０００２】
全方向的照明を供給する外観を備えた照明装置は、家庭、病院及びオフィス等内の照明、屋外照明並びに娯楽及び工業空間の照明等の用途を含む、種々の照明目的のために関心があるものである。
【０００３】
例えば米国特許出願公開第2012/0069570号公報にはＬＥＤランプが開示されており、該公報において、当該照明装置は第１及び第２担体により２つの部屋に分割され、これら担体は、均一な光分布をもたらすために、該第１及び第２担体の各面上に分散された光源を支持するように配置されている。
【０００４】
このような照明装置は均一な光分布を提供することができるが、組み立てることが相対的に容易であり、それでいて、広い範囲の方向に光を放出することができる、即ち全方向的照明を供給する外観を備えた装置に対する需要が存在する。
【発明の概要】
【発明が解決しようとする課題】
【０００５】
上記に鑑みて、本発明の課題は、全方向的照明を供給することができる又は全方向的照明を供給する外観を備えた照明装置を提供することである。本発明の他の課題は、相対的に容易に組み立てることができる照明装置を提供することである。
【課題を解決するための手段】
【０００６】
これらの課題及び他の課題の少なくとも１つに対処するために、独立請求項による照明装置及び照明装置を製造する方法が提供される。好ましい実施態様は、従属請求項により記載されている。
【０００７】
本発明の第１態様によれば、各々が光を放出するように構成された少なくとも２つの光源と、第１面（第１の側）及び第２面（第２の側）を持つ担体とを有する照明装置が提供される。上記少なくとも２つの光源は上記担体の第１面に結合され、これら担体及び光源は外囲体（エンベロープ）により少なくとも部分的に包囲される。上記光源のうちの少なくとも１つは上記担体の第１部分に結合される一方、上記光源のうちの少なくとも他の１つは該担体の第２部分に結合され、該担体の斯かる第１及び第２部分は相違する。上記担体は、該担体の上記第１部分の第２面が該担体の上記第２部分の第２面と少なくとも部分的に対面する、又はその逆となるように配置される。
【０００８】
従って、代替例では、上記担体は該担体の上記第２部分の第２面が該担体の上記第１部分の第２面と少なくとも部分的に対面するように配置することができる。
【０００９】
本発明の第２態様によれば、本発明の上記第１態様による照明装置を有する照明器具が提供される。
【００１０】
本発明の第３態様によれば、照明装置を製造する方法が提供される。該方法は、各々が光を放出するように構成された少なくとも２つの光源を準備するステップと、第１面及び第２面を持つ担体を準備するステップと、上記少なくとも２つの光源を上記担体の第１面に結合するステップとを有する。上記光源のうちの少なくとも１つは上記担体の第１部分に結合される一方、上記光源のうちの少なくとも他の１つは該担体の第２部分に結合され、該担体の斯かる第１及び第２部分は相違する。該方法は、上記光源及び担体を少なくとも部分的に包囲するように配置される外囲体を準備するステップと、上記担体を該担体の上記第１部分の第２面が該担体の上記第２部分の第２面と少なくとも部分的に対面する又はその逆となるように配置するステップとを有する。
【００１１】
本発明の実施態様は、前記担体を折り畳み又は折り曲げることにより、該担体上に取り付けられた光源が、単一の担体の単一の側（面）上に取り付けられながら、幾つかの方向に光を放出するように向けられ又は全方向的（無指向的）若しくは実質的に全方向的にさえなるようにすることができるという理解に基づいている。これにより、当該照明装置の製造工程を少ない部品表及び容易化される組み立ての点で簡略化することができる。
【００１２】
当該担体は、上記光源に対する機械的支持及び電気的接続を提供することができる例えば印刷回路基板（ＰＣＢ）を有することができる。代わりに又は加えて、該担体はリードフレームを有することができる。上記ＰＣＢは第１部分及び第２部分に分割することができ、これら部分は電気的に互いに接続されると共に光源を備える。該担体はフレキシブル（可撓性）ＰＣＢを有することができ、該フレキシブルＰＣＢは有利にも当該担体を所望の形状に容易に順応させることを可能にする。該担体は、光源の組付けの後に所望の形状に成形するこができ、これにより該光源及び可能性のある他の部品が平らな面上に取り付けられることを可能にする。これにより、部品を単一の平らな又は実質的に平らな担体の一方の側（面）上に取り付けることができ、このことは有利にも容易化された製造を可能にする。
【００１３】
当該担体は、上記光源の良好な熱的性能又は冷却を可能にするために、相対的に高い熱伝導度を持つ材料を有することができる。該担体は、上記光源により発生される光の少なくとも一部を反射するように構成された光反射領域、及び／又は上記光源により発生される光の少なくとも一部を透過するように構成された光透過領域を有することができる。
【００１４】
当該担体の前記第１及び第２部分に関する“異なる（相違する）”なる用語は、該担体の当該第１及び第２部分が該担体の異なる領域を形成していると理解されるべきであって、必ずしも斯かる各部分の形状及び／又はデザインが異なると理解されるべきではないことに注意されたい。
【００１５】
本出願の前後関係において、“光源”なる用語は、例えば両端間に電位差を印加し又は電流を通過させることにより活性化された場合に、例えば可視領域、赤外領域及び／又は紫外領域等の電磁スペクトルの何れかの領域又は領域の組み合わせにおいて放射を放出することができる実質的に任意のデバイス又は素子をも定義するために使用されている。従って、光源は単色の、準単色の、多色の又は広帯域のスペクトル放射特性を有することができる。光源の例は、当業者により容易に理解されるように、半導体、有機若しくはポリマ／ポリマ的発光ダイオード（ＬＥＤ）、青色ＬＥＤ、光学的にポンピングされる蛍光体被覆ＬＥＤ、光学的にポンピングされるナノ結晶ＬＥＤ又は任意の他の同様のデバイスも含む。ＲＧＢ ＬＥＤは、当該照明装置からの動的カラー光出力を可能にするために有利に使用することができる。更に、光源なる用語は、当該放射を放出する固有の光源の、該固有の光源又は複数の光源が内部に配置されるハウジング又はパッケージとの組み合わせを定義するために使用することができる。例えば、光源なる用語は、ハウジング内に配置された裸のＬＥＤダイを含むことができ、これはＬＥＤパッケージと称することができる。
【００１６】
当該光源は前記担体上に、該担体と光源との間に電気的接続が形成されるように設けることができる。好ましくは、光源は担体に対して、例えば半田付けし、導電的に接着し、溶接し、締着し又は当業者により容易に理解される何らかの他の技術により機械的に固定され又は結合される。上記光源の如何なるものも上記担体の第１面に直接的に又は間接的に結合することができる。
【００１７】
当該担体の第１部分の第１面上に配置される例えばＬＥＤ等の光源は、該第１面の法線と平行な方向に沿って（又は実質的に沿って）光を放出することができる。しかしながら、当該担体が光を透過させない、又は相対的に少量の光しか透過させない場合、該担体の第１面に結合された該光源は、該第１面の法線に沿って（又は実質的に沿って）反対方向には光を放出することはできない（又は該第１面の法線に沿って若しくは実質的に沿って反対方向に相対的に少量の光しか放出することができない）。しかしながら、少なくとも１つの光源を当該担体の第１部分に結合すると共に少なくとも１つの他の光源を該担体の第２部分に結合し、且つ、当該担体を該担体の第１及び第２部分が共通の面を共有しないように折り畳み又は折り曲げることにより、これら光源により発生される光は、該担体が折り曲げられ又は折り畳まれない場合に斯かる光源により放出される光よりも多くの方向に放出することができる。当該担体は、例えば、該担体の第１部分の第２面と該担体の第２部分の第２面とが平行となるように構成することができ、このことは、有利にも、光が当該照明装置から実質的に全ての方向に放出されることを可能にするか、又は少なくとも当該照明装置による全方向的照明の印象を実現することを可能にすることができる。本出願の前後関係において、“平行”なる用語は、必ずしも絶対的に平行であると理解されるべきではなく、当該担体の第１部分の第２面の法線と該担体の第２部分の第２面の法線との間の角度が特定の角度区間内（例えば、１７０°と１９０°との間の角度範囲内、又は１８０°を中心として一層大きな角度区間内）であり得ると理解されるべきである。
【００１８】
上記担体を当該照明装置により放出される光の角度区間を増加させるように折り曲げ又は折り畳むことは、その一方の側上のみに光源等の部品が装着された片面型担体（例えばＰＣＢ）の使用を可能にし、このことは、当該照明装置の製造の間においての扱い及び組み立てを容易にし得る。上記担体を当該照明装置により放出される光の角度区間を増加させるように折り曲げ又は折り畳むことは、単一の担体のみの使用を可能にし、このことは、有利にも当該照明装置における部品の数の低減を可能にすることができる。
【００１９】
上記担体及び光源を少なくとも部分的に包囲する外囲体は、該包囲される担体及び光源の電気的絶縁及び／又は機械的保護をもたらす材料を有することができる。このような材料は、例えば、セラミック、ガラス、プラスチック及び／又は紙から選択することができる。セラミック多結晶アルミナは、機械的強度、相対的に高い熱伝導度、電気的絶縁性、光反射及び光透過特性、及び種々の形状へ成形される能力により高ルーメン出力装置にとり有利な材料の一例である。ガラス、プラスチック及び紙は、これら材料の相対的に低い価格により例えば低ルーメン出力装置にとり有利であり得る。
【００２０】
上記外囲体は透光領域を有することができ、この透光領域は前記光源により放出された光の該透光領域を介しての少なくとも一部の透過を少なくとも部分的に可能にするように構成される。該透光領域は、ユーザが前記光源およびオプションとしての電子回路を知覚することを防止するために半透明とすることができるか、又は透明とすることができる。該外囲体は反射性領域を有することができ、この反射性領域は該反射性領域に入射する前記光源により放出された光の少なくとも一部を反射するように構成される。
【００２１】
当該外囲体は、球の形状又はソケットアセンブリに取り付けることができる電球の形状を有することができる。このことは、有利にも、種々の照明器具に取り付けることができる改良置換型照明装置を可能にする。
【００２２】
上記ソケットアセンブリは当該照明装置の基部（口金）と称することができる一方、当該外囲体の反対側の部分は当該照明装置の頂部と称することができる。当該照明装置の基部から頂部へと該照明装置の長軸を定める軸が延びることができる。
【００２３】
本発明の一実施態様によれば、前記担体の少なくとも一部は当該照明装置の上記長軸と整列され、このことは照明の対称性を改善することができる。
【００２４】
本発明の一実施態様によれば、当該照明装置は前記担体を前記外囲体の少なくとも一部に熱的に接続して、該外囲体を介して当該照明装置から熱が放散されることを可能にするよう構成された熱伝導体を有する。該熱伝導体は、好ましくは、効率的な熱伝達を可能にするために良好な熱伝導度を持つ材料を有するようにする。このような材料の例は、銅、アルミニウム、ニッケル及び真鍮等の金属；セラミック；ガラス；及び／又は当業者により知られている他の好適な材料を含むことができる。該熱伝導体の熱伝導度、従って熱的性能は、当該熱伝導体の厚さ及び形状により影響され得る。該熱伝導体は、例えば、前記担体及び前記外囲体の内側表面の一部に熱的に接続される金属細条を有することができる。代わりに又は加えて、当該熱伝導体は、COOLTTMにより供給されているMTRAN(登録商標)(Micro Flat Heat Transmitter)等のヒートパイプ細条を有することもできる。
【００２５】
当該照明装置の熱的性能は、前記外囲体と熱伝導体との間の熱接触面積を増加させることにより改善することができる。このことは、例えば、当該熱伝導体を上記外囲体の内側表面に当てられた金属細条として配設することにより達成することができる。該金属細条は、当該外囲体の基部から頂部への経路に沿って延びることができるか、又は前記長軸に直交する経路に沿って延びることができる。上記熱伝導体、担体及び／又は外囲体の間の熱的接触を改善するために熱伝導材料（ＴＩＭ：thermal interface material）を塗布することができる。熱放散の効率は、発生される熱の量及び光学的性能に依存して種々のアプリケーションに適応させることができる。一例として、相対的に大きな量の熱を発生する高ルーメン装置は、相対的に高度の熱放散を必要とし得る。このことは、例えば、当該熱伝導体と外囲体との間の熱接触面積の寸法を増加させることにより対処することができる。従って、少ない熱しか発生しない低ルーメン装置は、より小さな熱接触面積しか必要としない。熱伝導体と外囲体との間の熱接触面積の寸法を減少させることにより、該熱伝導体により生じる当該外囲体の陰が少なくなることにより外観が改善され得る。該熱伝導体は、当該照明装置の外観を改善するために外囲体の外側表面に被着されるプリント（例えば、銀）により隠蔽することができる。
【００２６】
本発明の一実施態様によれば、前記外囲体は、一緒に結合された場合に該外囲体を形成する少なくとも２つの外囲部分を有することができる。前記熱伝導体の一部は、当該照明装置の環境と熱的に接触する、斯かる外囲部分の間の接合部に配置することができ、このことは有利にも、該熱伝導体の上記一部を介して当該照明装置から熱が放散されることを可能にする。
【００２７】
本発明の一実施態様によれば、当該照明装置を製造する方法は、該照明装置から前記外囲体を介して熱が放散されることを可能にするために熱伝導体を前記外囲体の少なくとも一部に前記担体を熱的に接続するように配置するステップを有する。
【００２８】
本発明の一実施態様によれば、上記外囲体は少なくとも２つの外囲部分から形成され、前記熱伝導体の一部は、当該照明装置の環境と熱的に接触する該外囲部分の間の接合部に配置されて、熱が当該照明装置から該熱伝導体の一部を介して放散されることを可能にする。上記外囲体は、セラミック、ガラス、プラスチック及び／又は紙から選択される材料を有することができる。
【００２９】
本発明の一実施態様によれば、少なくとも１つのドライバ回路が前記担体の前記第１及び第２部分の少なくとも一方に結合され、該少なくとも１つのドライバ回路は前記光源の少なくとも１つに電流を供給するように構成される。
【００３０】
本発明は請求項に記載されたフィーチャの全ての可能性のある組み合わせに関するものでもあることに注意されたい。
【００３１】
本発明の上述した並びに追加の目的、フィーチャ及び利点は、添付図面を参照してなされる本発明の好ましい実施態様の後述する解説的及び制限するものでない詳細な説明により一層理解されるであろう。
【００３２】
尚、全ての図は概略的で、必ずしも実寸通りではなく、本発明の実施態様を説明するために必要である部分のみを概して示し、他の部分は省略されるか又は単に暗示されている。
【図面の簡単な説明】
【００３３】
【図１】図１は、折り曲げられた担体に結合された光源を有する、本発明の一実施態様による照明装置の分解斜視図を概略図示する。
【図２ａ】図２ａは、本発明の他の実施態様による照明装置の側断面図を概略図示する。
【図２ｂ】図２ｂは、同様の照明装置の上断面図を概略図示する。
【図３ａ】図３ａは、折り曲げられる前の担体の斜視図を概略図示する。
【図３ｂ】図３ｂは、本発明の一実施態様による照明装置の分解斜視図を概略図示する。
【図４】図４は、本発明の一実施態様による照明装置を製造する方法の概略的フローチャートである。
【発明を実施するための形態】
【００３４】
以下、本発明を、本発明の例示的実施態様が図示された添付図面を参照して詳細に説明する。しかしながら、本発明は多数の異なる形態で具現化することができ、記載された斯かる実施態様に限定されるものと見なされるべきではない。むしろ、これら実施態様は、本開示が当業者に対して本発明の範囲を伝達するような例示として提示されるものである。ここに記載される如何なる方法のステップも、特に言及しない限り、記載された正確な順番で実行される必要はない。更に、全体を通して同様の符号は同一又は同様の要素又は部品を示している。
【００３５】
図１において、本発明の一実施態様による全方向的な外観を有する出力光を発生するように構成された改良置換型照明装置１００が概略図示されている。照明装置１００は、第１側（面）１２２及び第２側（面）１２４を有する担体１２０に結合された４つの光源１１０（図１には２つのみが示されている）を有し、光源１１０は担体１２０の第１面１２２に結合されている。この実施態様によれば、光源１１０のうちの２つが担体１２０の第１部分１２６に結合され、他の２つの光源１１０（図示されず）は担体１２０の第２部分１２８に結合されている。
【００３６】
光源１１０は、原理的に、光を発生して放出することができる任意の種類の光源１１０を有することもできる。例えば、光源１１０は発光ダイオード、ＬＥＤを有することができる。ＲＧＢ ＬＥＤが、照明装置１００からの動的カラー光出力を可能にするために有利に用いられる。図１に示される光源１１０は、同一のタイプのものとするか又は異なるタイプのものとすることができる。図１における光源１１０の数は、例であり限定するものでない。本発明の他の実施態様によれば、１つの光源１１０を、第１面１２２及び第２面１２４の各々に結合することができる。一般的には、少なくとも１つの光源１１０が第１面１２２に結合され、少なくとも１つの光源１１０が第２面１２４に結合される。
【００３７】
担体１２０は、光源１１０を電気的に接続すると共に該光源に機械的支持をもたらす、例えば印刷回路基板（ＰＣＢ）等の任意の種類の構造体を有することもできる。担体１２０は、電気的に接続された第１部分１２６及び第２部分１２８を少なくとも有している。通常、第１部分１２６及び第２部分１２８は、第１部分１２６の第２面１２４が第２部分１２８の第２面１２４と少なくとも部分的に対面する、又はその逆となるように配置される。図１に示された実施態様によれば、担体１２０は、該担体１２０の第１部分１２６の第２面１２４及び該担体１２０の第２部分１２８の第２面１２４が平行となる又は実質的に平行となるように折り曲げられている。しかしながら、担体１２０の第１部分１２６の第２面１２４及び該担体１２０の第２部分１２８の第２面１２４が平行となる又は実質的に平行となることは必須ではない。むしろ、担体１２０は、通常、該担体１２０の第１部分１２６の第２面１２４の法線ベクトル及び該担体１２０の第２部分１２８の第２面１２４の法線ベクトルが異なる方向を指すように折り曲げ又は折り畳むことができる。担体１２０の第１部分１２６の第１面１２２に結合された光源１１０により放出される光は、該担体１２０の第１部分１２６の第１面１２２の法線に平行な方向に沿って又は実質的に沿って放出される一方、担体１２０の第２部分１２８の第１面１２２に結合された光源１１０により放出される光は、該担体１２０の第２部分１２８の第１面１２２の法線に平行な方向に沿って又は実質的に沿って放出され、このことは、当該照明装置１００による全方向的照明の能力又は印象を向上させることができる。
【００３８】
図１に示す熱伝導体１４０は、例えば、担体１２０及び外囲体１３０の内側表面の一部に熱的に接触して配置される２つの金属細条を有することができ、これにより、担体１２０と外囲体１３０との間の熱的接続を実現する。熱放散の効率を増加させるために、担体１２０及び外囲体１３０の熱接触領域に熱伝導材料（ＴＩＭ）を塗布することができる。当該熱伝導体１４０は、加えて又は代わりに、例えば金属合金及びセラミック等の良好な熱的性能を可能にし得る他の種類の材料を有することもできる。該熱伝導体１４０の形状及び熱接触領域は、当該熱放散の効率を、例えば低ルーメン出力装置及び高ルーメン出力装置等の種々の用途に適応させるために修正することができる。
【００３９】
外囲体１３０は、原理的に、当該照明装置１００に機械的保護、電気的絶縁及び／又は熱放散をもたらすことができる任意の種類の材料を有することもできる。外囲体１３０は、光源１１０により放出された光の少なくとも一部を透過することができる。図１に示す実施態様によれば、外囲体１３０は、一緒に結合された場合に電球状外囲体１３０を形成する例えばガラス製の２つの外囲部分１３２、１３４を有することができる。これら外囲部分１３２、１３４は、例えば接着、溶接、締着又は当業者により容易に理解される何らかの他の好適な技術により一緒に結合することができる。該外囲体１３０は、加えて又は代わりに、１つ又は数個の部分に形成された例えばセラミック、プラスチック及び／又は紙等の他の材料を有することもできることが理解される。
【００４０】
上記２つの外囲部分１３２、１３４が一緒に結合されると、該外囲体１３０は前記担体１２０、光源１１０及び熱伝導体１４０を包囲することができる。外囲体１３０及び担体１２０は、当該照明装置１００の基部（口金）を形成するソケットアセンブリ１５０に固定することができる。ソケットアセンブリ１５０は、当該照明装置１００に機械的支持及び電力を与えることができると共に、任意の種類の利用可能な照明器具に適合するように形成することもできる。
【００４１】
動作の間においては、電力が光源１１０に供給され、該光源は光及び熱エネルギを発生することができる。上記熱エネルギは担体１２０に伝達され、該担体１２０及び外囲体１３０と熱的に接触している熱伝導体１４０を通り外囲体１３０を介して放散される。上記光源１１０により発生された光は、外囲体１３０を介して広い範囲の方向に透過され得、かくして、当該照明装置１００により供給される照明は見るものにとり全方向的であるように見えるようになり、又は当該照明装置１００により全方向的な若しくは実質的に全方向的な照明が達成されようにさえなる。
【００４２】
図２ａを参照すると、本発明の一実施態様による照明装置１００の概略側断面図が示されており、該照明装置は、ソケットアセンブリ１５０の形態の基部に取り付けられた担体１２０及び外囲体１３０を有している。担体１２０は、第１面１２２、第２面１２４、第１部分１２６及び第２部分１２８を有している。光源１１０が、第１部分１２６の第１面１２２及び第２部分１２８の第１面１２２に、各々、結合されている。図２ａに示される実施態様によれば、第１部分１２６及び第２部分１２８は電気的に接続されると共に、第２部分１２８の第２面１２４が第１部分１２６の第２面１２４と対面するように配置され、担体１２０は、該担体１２０の第１部分１２６の第２面１２４及び該担体１２０の第２部分１２８の第２面１２４が平行に又は実質的に平行となるように折り曲げられ又は折り畳まれている。しかしながら、担体１２０の第１部分１２６の第２面１２４及び該担体１２０の第２部分１２８の第２面１２４が平行となり又は実質的に平行となることは必須ではない。むしろ、担体１２０は、通常、該担体１２０の第１部分１２６の第２面１２４の法線ベクトル及び該担体１２０の第２部分１２８の第２面１２４の法線ベクトルが異なる方向を指すように折り曲げ又は折り畳むことができる。担体１２０の第１部分１２６の第１面１２２に結合された光源１１０により放出される光は該担体１２０の第１部分１２６の第１面１２２の法線に平行な方向に沿って又は実質的に沿って放出される一方、担体１２０の第２部分１２８の第１面１２２に結合された光源１１０により放出される光は該担体１２０の第２部分１２８の第１面１２２の法線と平行な方向に沿って又は実質的に沿って放出され、このことは、当該照明装置１００による全方向的照明の能力又は印象を向上させ得る。照明装置１００は、熱が該照明装置１００から放散されることを可能にするための熱伝導体１４０を有することができる。
【００４３】
図２ｂは、図２ａに示した照明装置１００と同様の照明装置１００の概略上断面図である。図２ｂに示す照明装置１００は、外囲体１３０、担体１２０及び該担体１２０に結合された光源１１０を有している。光源１１０及び担体１２０の機能及び／又は動作は、図２ａを参照して説明した照明装置１００における光源１１０及び担体１２０の機能及び動作と、各々、同様又は同一である。図２ｂに示した実施態様によれば、照明装置１００は、担体１２０を外囲体１３０の少なくとも一部と熱的に接続して熱が外囲体１３０を介して当該照明装置１００から放散されることを可能にする熱伝導体１４０を有している。該熱伝導体１４０は、担体１２０と外囲体１３０との間の相対的に良好な熱結合を可能にするために外囲体１３０の内側表面の部分１３６に熱的に接触して配置された金属細条を有し、該金属細条は当該照明装置１００からの熱の放散の効率及び／又は能力を改善することができる。
【００４４】
図３ａを参照すると、折り畳まれて当該照明装置内に配置される前の、平らな担体１２０の概略斜視図が示されている。光源１１０が該担体の第１面に取り付けられる一方、図３ａには部分１４４のみが示された熱伝導体１４０が該担体の第２面と熱的に接触されて配置され、熱が該熱伝導体の上記部分１４４を介して該担体から放散されることを可能にする。
【００４５】
図３ｂには、本発明の一実施態様による照明装置１００の分解斜視図が示されており、該照明装置は折り畳まれた担体１２０（図３ａに示された担体１２０と同様の）に結合された光源１１０並びに担体１２０及び光源１１０を少なくとも部分的に包囲する外囲体１３０を有している。担体１２０及び外囲体１３０はソケットアセンブリ１５０に固定される一方、光源１１０により発生される熱を放散させるために熱伝導体１４０が担体１２０及び外囲体１３０と熱的に接触して配設されている。
【００４６】
例えばＬＥＤを有することができる光源１１０は、第１部分１２６及び第２部分１２８（図３ｂには示されていない）に分割された担体１２０の第１面に結合されている。光源（例えば、ＬＥＤ）１１０は担体１２０の第１部分１２６及び第２部分１２８の両方に結合され、該担体は可撓性（フレキシブル）ＰＣＢを有することができると共に、第１部分１２６の第２面及び第２部分１２８の第２面が互いに少なくとも部分的に対面して光が実質的に反対の方向に放出されることを可能にするように折り畳まれている。担体１２０の第１部分１２６には、電流を担体１２０に、従って光源（例えば、ＬＥＤ）１１０に供給するためのドライバ回路１６０が設けられている。該担体１２０が固定されるソケットアセンブリ１５０は、当該照明装置１００の口金を形成し、この実施態様によれば、該口金から該照明装置１００の反対側の頂部に向かって延びる長軸１７０に整列させることができる。
【００４７】
熱伝導体１４０は、例えば、金属薄板から形成することができる。該熱伝導体１４０の部分１４４は、外囲体１３０の前記２つの外囲部分１３２、１３４の間の接合部に配置することができる。これにより、熱伝導体１４０の該部分は外囲体１３０及び環境の両方と熱的に接触することができる。熱伝導体１４０は、例えば担体１２０の第１及び第２部分１２６、１２８の第２面に取り付けられることにより該担体１２０を機械的に支持するように構成することもできる。これにより、該熱伝導体１４０は、熱が担体１２０から放散されることを可能にすると同時に、該担体１２０を当該照明装置１００の前記長軸と整列された定位置に保つことができる。
【００４８】
図４を参照すると、本発明の一実施態様による照明装置１００を製造する方法の概略的フローチャートが示されている。該方法は、少なくとも２つの光源１１０を準備するステップ２０２と、第１面１２２及び第２面１２４を有する担体１２０を準備するステップ２０４と、前記少なくとも２つの光源１１０を前記担体１２０の第１面１２２に例えば表面実装技術により結合するステップ２０６とを有する。上記光源１１０の少なくとも１つは上記担体１２０の第１部分１２６に結合され、上記光源１１０の少なくとも他の１つは上記担体１２０の第２部分１２８に結合される。当該方法は、更に、例えば当該照明装置１００が組み立てられた及び／又は使用時の場合に、前記光源１１０及び担体１２０を少なくとも部分的に包囲するように構成された外囲体１３０を準備するステップ２０８と、前記担体１２０を該担体１２０の第１部分１２６の第２面１２４が該担体１２０の第２部分１２８の第２面１２４に少なくとも部分的に対面する、又はその逆となるように配置するステップ２１０とを有する。
【００４９】
熱伝導体１４０を、前記担体１２０を前記外囲体１３０の少なくとも一部と熱的に接続するように配置する（ステップ２１２）ことができる。これにより、当該照明装置１００の動作中に光源１１０により発生される熱が、該照明装置１００から外囲体１３０を介して放散されることが可能にされる。熱伝導体１４０は、該熱伝導体１４０の部分が、外囲体１３０と当該照明装置１００の環境との両方に熱的に接触する２つの外囲部分１３２、１３４の間の接合部に配置され、熱が当該照明装置１００から該熱伝導体１４０の上記部分を介して放散されることを可能にするように配設する（ステップ２１４）ことができる。
【００５０】
例えば、光源１１０に電力を直接的に供給することにより又は例えば担体１２０内若しくは該担体１２０上の電気結合部若しくは電流経路を介して間接的に供給することにより光源１１０に電力を供給するために、少なくとも１つのドライバを担体１２０の第１及び第２部分１２６、１２８の少なくとも一方に結合する（ステップ２１６）ことができる。
ステップ２１２、２１４及び２１６のいずれもオプションである。
【００５１】
要約すると、照明装置が開示され、該照明装置は、各々が光を放出するように構成された少なくとも２つの光源と、第１面及び第２面を持つ担体とを有し、上記少なくとも２つの光源は上記担体の第１面に結合され、これら担体及び光源を外囲体が少なくとも部分的に包囲する。上記光源のうちの少なくとも１つは上記担体の第１部分に結合される一方、上記光源のうちの少なくとも他の１つは該担体の第２部分に結合され、該担体の斯かる第１及び第２部分は相違する。上記担体は、該担体の上記第１部分の第２面が該担体の上記第２部分の第２面と少なくとも部分的に対面するように配置される。これにより、上記光源は幾つかの方向に光を放出するように向けることができ、かくして、当該照明装置により放出される光の角度範囲を、上記光源が例えば単一の担体の単一の側（面）に取り付けられた態様で、増加させる。このことは、部品の数の低減及び組み立ての容易さを可能にし得る。上記照明装置を有する照明器具及び斯様な装置を製造する方法も開示される。
【００５２】
尚、当業者であれば、本発明が上述した好ましい実施態様に決して限定されるものではないことを理解するものである。反対に、多くの変更及び変形が添付請求項の範囲内で可能である。
【００５３】
更に、当業者によれば、開示された実施態様に対する変形を、請求項に記載された本発明を実施するに際して図面、本開示及び添付請求項の精査から理解し、実施することができるものである。また、請求項において“有する”なる文言は他の構成要素又はステップを排除するものではなく、単数形は複数を排除するものではない。また、特定の手段が相互に異なる従属請求項に記載されているという単なる事実は、これら手段の組み合わせを有利に使用することができないということを示すものではない。
【図１】
2016518015.tif 000003
【図２ａ】
2016518015.tif 000004
【図２ｂ】
2016518015.tif 000005
【図３ａ】
2016518015.tif 000006
【図３ｂ】
2016518015.tif 000007
【図４】
2016518015.tif 000008
【国際調査報告】
2016518015.tif 000009
2016518015.tif 000010
2016518015.tif 000011